(57)【要約】      （修正有）【課題】容易且つ安価に製造できる放射性物質担持体を提供する。【解決手段】放射性物質担持体２は、低線量の放射線を放出する放射性物質を担持するものであって、基材７と、この基材７に放射性物質の粉体を含む塗着材が塗着された塗着層１０とを有する。塗着材は放射性物質の粉体の他にマイナスイオン発生物質の粉体を含むものでもよい。基材７は可撓性を有するシート材とし、そのシート材を居留空間の外周側の支持枠に吊り下げるようにしてもよい。【選択図】図３
0003194000.tif 000002
【実用新案登録請求の範囲】
【請求項１】
低線量の放射線を放出する放射性物質を担持する放射性物質担持体であって、基材と、該基材に前記放射性物質の粉体を含む塗着材が塗着された塗着層とを有することを特徴とする放射性物質担持体。
【請求項２】
前記塗着材はマイナスイオン発生物質の粉体を含むことを特徴とする請求項１に記載の放射性物質担持体。
【請求項３】
前記基材は可撓性を有するシート材であることを特徴とする請求項１又は２に記載の放射性物質担持体。
【請求項４】
前記シート材は上下両端側に幅方向の支持棒を有し、上端側の前記支持棒を介して吊り下げ可能であることを特徴とする請求項３に記載の放射性物質担持体。
【請求項５】
前記シート材は壁面に貼着可能であることを特徴とする請求項３に記載の放射性物質担持体。
【請求項６】
前記シート材は人の居留空間を取り囲む支持枠に、前記居留空間を取り囲むように装着可能であることを特徴とする請求項３又は４に記載の放射性物質担持体。
【請求項７】
前記居留空間の外周側用の前記シート材は前記支持枠に吊り下げ可能であることを特徴とする請求項６に記載の放射性物質担持体。
【請求項８】
前記居留空間の天井側用の前記シート材は前記支持枠の相対向する一対の支持棒間に架け渡し可能であることを特徴とする請求項６又は７に記載の放射性物質担持体。
【請求項９】
前記基材及び前記塗着層が伸縮性を有することを特徴とする請求項１〜３の何れかに記載の放射性物質担持体。
【請求項１０】
身体に装着可能であることを特徴とする請求項１〜３の何れかに記載の放射性物質担持体。
【考案の詳細な説明】
【技術分野】
【０００１】
本考案は、低線量の放射線を身体に照射して健康の増進を図るための放射性物質担持体に関するものである。
【背景技術】
【０００２】
従来、放射性物質から放出される低線量の放射線を身体の全体又は患部に照射して、血液循環や新陳代謝の促進等により健康の増進を図るようにした健康器具がある（特許文献１）。この健康器具は、放射性物質の粉末を球状に成形して焼結した焼結体と、この焼結体を線状又は面状に配列して収納する収納袋とを備えている。
【先行技術文献】
【特許文献】
【０００３】
【特許文献１】特開２００６−５５２２１号公報
【考案の概要】
【考案が解決しようとする課題】
【０００４】
従来の健康器具は、放射性物質の焼結体を収納袋に収納しているため、製造に際しては、焼結体の焼結から焼結体の収納袋への袋詰めまでに多数の工程を要し、その製造が非常に煩雑であって容易に製造できず製造コストが高騰するという欠点がある。
【０００５】
本考案は、このような従来の問題点に鑑み、容易且つ安価に製造できる放射性物質担持体を提供することを目的とする。
【課題を解決するための手段】
【０００６】
本考案は、低線量の放射線を放出する放射性物質を担持する放射性物質担持体であって、基材と、該基材に前記放射性物質の粉体を含む塗着材が塗着された塗着層とを有するものである。
【０００７】
前記塗着材はマイナスイオン発生物質の粉体を含むものでもよい。前記基材は可撓性を有するシート材であってもよい。前記シート材は上下両端側に幅方向の支持棒を有し、上端側の前記支持棒を介して吊り下げ可能であってもよい。前記シート材は壁面に貼着可能であってもよい。
【０００８】
前記シート材は人の居留空間を取り囲む支持枠に、前記居留空間を取り囲むように装着可能であってもよい。前記居留空間の外周側用の前記シート材は前記支持枠に吊り下げ可能であってもよい。前記居留空間の天井側用の前記シート材は前記支持枠の相対向する一対の支持棒間に架け渡し可能であってもよい。
【０００９】
前記基材及び前記塗着層が伸縮性を有するものでもよい。身体に装着可能であってもよい。
【考案の効果】
【００１０】
本考案では、放射性物質担持体を容易且つ安価に製造できる利点がある。
【図面の簡単な説明】
【００１１】
【図１】本考案の第１の実施形態を示すタペストリーの全体説明図である。
【図２】同塗着模様の拡大説明図である。
【図３】同放射性物質担持体の拡大断面図でる。
【図４】同塗着材の説明図である。
【図５】本考案の第２の実施形態を示す放射線照射用のパッチの斜視図である。
【図６】同パッチの断面図である。
【図７】同塗着材の説明図である。
【図８】同パッチの支持状態の説明図である。
【図９】本考案の第３の実施形態を示す放射線照射用のパッチの斜視図である。
【図１０】同パッチの拡大断面図である。
【図１１】同粘着テープの斜視図である。
【図１２】本考案の第４の実施形態を示す放射線照射用のパッチの斜視図である。
【図１３】同使用状態の斜視図である。
【図１４】同断面図である。
【図１５】本考案の第５の実施形態を示す衣類の正面図である。
【図１６】本考案の第６の実施形態を示す居留空間囲繞装置の一部破断斜視図である。
【図１７】本考案の第７の実施形態を示す居留空間囲繞装置の斜視図である。
【図１８】本考案の第８の実施形態を示す施療室の斜視図である。
【図１９】同壁紙の貼着状態の断面図である。
【考案を実施するための形態】
【００１２】
以下、本考案の各実施形態を図面に基づいて詳述する。なお、各実施形態において、同一名称部位には同一の符号を付して、その説明を極力省略する。
【００１３】
図１〜図４は本考案に係る放射性物質担持体をタペストリー１に適用した第１の実施形態を例示する。このタペストリー１は、図１に示すように、シート状の放射性物質担持体２と、この放射性物質担持体２の上下両端側に幅方向に設けられた支持棒３ａ，３ｂと、上端側の支持棒３ａの両端に連結された吊り紐４とを有し、その吊り紐４を室内の壁面５のフック等の掛け具６に引っ掛けて吊り下げるようになっている。
【００１４】
放射性物質担持体２は、図２、図３にも示すように、縦長矩形状、横長矩形状その他の所定形状に裁断された和紙、生地等の基材７と、この基材７の表面に放射性物質を含む塗着材８（図４参照）が塗着され且つ装飾用の塗着模様９を形成する塗着層１０とを有し、その塗着層１０の放射性物質から低線量の放射線を放出するようになっている。
【００１５】
なお、基材７は塗着材８が塗着可能な可撓性を有するシート材であればよく、一般的には和紙、洋紙等の紙が適当であるが、編生地、織生地等の生地、更には合成樹脂製フィルム又はシート等でもよい。また、基材７は平坦状のものの他に、エンボス加工を施したものでもよい。
【００１６】
塗着材８は図４に示すように、鉱石粉体Ｐと着色材ＣとをバインダーＢに所定割合で配合したものであって、スクリーン印刷、ロール印刷等の印刷法により基材７に塗着できるものが使用されている。塗着層１０は図２、図３に斜線で示すように、塗着材８を基材７の表面に塗着して乾燥させたものである。なお、基材７に対する塗着材８の塗着方法は、必要に応じて任意に選択すればよい。
【００１７】
鉱石粉体Ｐは放射性物質Ｘとマイナスイオン発生物質Ｙとを含有する鉱石を微粉末状に粉砕したものであって、塗着材８を印刷により基材７に塗着する際に支障を来さない程度の大きさに粉砕されている。なお、鉱石粉体Ｐはマイナスイオン発生物質Ｙを含有しないものでもよい。また、鉱石粉体Ｐに替えて、別々の放射性物質Ｘとマイナスイオン発生物質Ｙとの粉体を配合して使用することも可能である。放射性物質Ｘは、ウラン２３８、ウラン２３４等のウラン系列の放射性元素、トリウム２３２、トリウム２３８等のトリウム系列の放射性元素等である。またウラニウム、ラドンガスを生成可能なラジウム等でもよい。
【００１８】
着色材Ｃは塗着層１０をエンジその他の所定の色に着色するためのものである。なお、鉱石粉体Ｐが持つ色を利用して塗着層１０による塗着模様９を形成する等、塗着層１０を着色しない場合には、着色材Ｃは不要である。バインダーＢはシリコン系、ウレタン系等が適当である。
【００１９】
塗着模様９は塗着層１０を含む第１塗着層列１２と第２塗着層列１３とが上下方向に隣接して交互に多数配置して構成されており、その各塗着層列１２，１３は略同じ上下幅を有し、左右方向の略全幅に帯状に形成されている。各塗着層列１２，１３には塗着材８の塗り分けにより形成された三重の円形状の塗り分け模様１４，１５が左右方向に隣接して一列状に多数配置されている。
【００２０】
各塗着層列１２，１３の塗り分け模様１４，１５は、図２に示すように、上下の各塗着層列１２，１３の塗り分け模様１４，１５同士が上下に隣接しており、また、第１塗着層列１２と第２塗着層列１３とでは塗着材８が略逆模様に塗り分けられている。
【００２１】
即ち、第１塗着層列１２の塗り分け模様１４は、図２に示すように、内非塗着部１４ａと中塗着部１４ｂと外非塗着部１４ｃとを略同心状に備え、その外非塗着部１４ｃの外側の第１塗着層列１２内が外側塗着部１４ｄとなっている。同様に第２塗着層列１３の塗り分け模様１５は、内塗着部１５ａと中非塗着部１５ｂと外塗着部１５ｃとを略同心状に備え、その外塗着部１５ｃの外側の第２塗着層列１３内が外側非塗着部１５ｄとなっている。
【００２２】
従って、放射性物質担持体２の略半分の面積が各塗着部１４ｂ，１４ｄ、１５ａ，１５ｃによる塗着層１０となっており、また、放射性物質担持体２の上下、左右方向の略全体に略均等に塗着部１４ｂ，１４ｄ、１５ａ，１５ｃが分散して配置されている。
【００２３】
なお、上下方向の適当位置の第１塗着層列１２、第２塗着層列１３には、左右方向に適当な間隔を置いて「癒音京紙」等の塗着部１６が塗り分け模様１４，１５に代替して設けられているが、この塗着部１６はなくてもよいし、他の図形等の模様類でもよい。
【００２４】
また、塗着模様９は室内装飾用としてのものであれば十分であり、各塗着層列１２，１３の塗り分け模様１４，１５は、三重の円形状である必要はなく、三重の角形状、その他のものでもよい。更に、塗着模様９は塗り分け模様１４，１５の配列による他、放射性物質担持体２に描かれた絵や模様等の下図柄と、この下図柄に重ねて塗着された透明な塗着層１０とで構成することも可能であり、このような場合には塗着層１０を放射性物質担持体２の略全面に塗着してもよい。
【００２５】
このようにタペストリー１に放射性物質担持体２を採用すれば、室内の壁面５等に掛けられたタペストリー１の近傍に座る等によって、その放射性物質担持体２の放射性物質Ｘから放出される低線量の放射線の雰囲気下に身体を置くことができ、身体の略全身を放射線に曝すことにより容易にホルミシス効果を得ることができる。
【００２６】
また、放射性物質担持体２は、放射性物質Ｘを含む鉱石粉体Ｐを配合した塗着材８を和紙等の基材７に塗着して塗着層１０を形成しているため、従来の放射性物質の焼結体を収納袋に収納する場合に比べて製造が非常に容易であり、特にタペストリー１用の放射性物質担持体２のような大型のものであっても容易且つ安価に製造することができ、しかも重量的にも軽量化できる利点がある。
【００２７】
更に、鉱石粉体Ｐが放射性物質Ｘとマイナスイオン発生物質Ｙとを含む場合には、夫々から放出される放射線とマイナスイオンとを併せて活用することが可能であり、何れか一方のみの場合に比較して健康増進効果をより増大させることができる。しかもマイナスイオン発生物質Ｙがトルマリンを含む場合には、トルマリンが自然分極を有するため、放射性物質Ｘの放射線による励起によってマイナスイオンを安定して継続的に発生させることができ、マイナスイオン効果を継続的に得ることができる。
【００２８】
図５〜図８は本考案の第２の実施形態を例示し、放射性物質担持体を身体の患部に貼着して使用する放射線照射用のパッチ１７に採用したものである。このパッチ１７は図５、図６に示すように、身体の患部に貼着可能な大きさの平面視略円形、その他の適宜形状であり、可撓性を有する不織布等の基材７と、この基材７の一側面に塗着材８が塗着された塗着層１０と、基材７の他側面に粘着剤を塗着して形成された粘着層１８とを備えている。
【００２９】
塗着材８は図７に示すように、鉱石粉体Ｐと発泡剤１９とバインダーＢとが所定割合で混合されており、基材７への塗着後に熱処理を行って発泡剤１９を発泡させるようになっている。このため塗着層１０は発泡剤１９の発泡により所定の盛り上がり又は凹凸を有するものとなっている。その他は第１の実施形態と同様である。
【００３０】
このパッチ１７は図８に示すように複数個を一組とし、その各パッチ１７を台紙等の支持シート２０と保護シート２１との間に挟み込んだ状態で包装して販売する。各パッチ１７は粘着層１８を介して台紙の離型面２０ａに貼着されている。
【００３１】
パッチ１７を使用する際には、保護シート２１を捲って支持シート２０上のパッチ１７を剥がし、そのパッチ１７を粘着層１８を介して身体の患部に貼着する。このようにすればパッチ１７の携行が容易であり、必要なときにパッチ１７を患部に貼着して簡便に使用することができる。
【００３２】
図９〜図１１は本考案の第３の実施形態を例示する。この実施形態のパッチ１７は図９、図１０に示すように、基材７を構成する台紙等のシート２２上に所定形状の塗着層１０が複数形成され、また、シート２２には各塗着層１０の外周側にハーフカット、ミシン線等の切り取り可能な切り取り線２３が形成されている。
【００３３】
一方、これとは別に図１１に示すように、貼着用の両面テープ等の粘着テープ２４が準備されている。粘着テープ２４には、塗着層１０に対応してハーフカット等の切り取り線２５が形成され、必要に応じて粘着部２６を切り取り可能になっている。なお、粘着テープ２４の粘着部２６の数は塗着層１０の数と同じでもよいが、それ以上の数でもよい。その他は第１又は第２の実施形態と同様である。
【００３４】
パッチ１７の使用に際しては、塗着層１０の外周の切り取り線２３に沿ってパッチ１７を切り取ると共に、粘着テープ２４から粘着部２６を切り取り、その粘着部２６を基材７側又は塗着層１０側に貼着した後、その粘着部２６を介してパッチ１７を患部に貼着すればよい。パッチ１７の塗着層１０は半永久的に放射線を放出するため、粘着部２６の粘着力が低下すれば新しいものと交換すればよい。
【００３５】
このような場合にも、必要に応じてパッチ１７を簡便に使用することができる。
【００３６】
図１２〜図１４は本考案の第４の実施形態を例示する。この実施形態のパッチ１７は、図１２に示すように、織生地、編生地等の伸縮性を有する基材７と、この基材７の片面又は両面に形成された伸縮性を有する塗着層１０とを有する。塗着層１０の塗着材８のバインダーＢには、例えば硬化後も伸縮性を有するシリコン系のもの等が使用されており、パッチ１７自体としても所定の伸縮性を有するものとなっている。その他は第１〜第３の何れかの実施形態と同様である。
【００３７】
このパッチ１７を使用する際には、例えば図１３、図１４に示すように内側その他の適当箇所にポケット２７ａを備えたサポーター２７を使用して、そのポケット２７ａ内にパッチ１７を挿入し、その状態でパッチ１７を膝関節、肘関節等の患部に対応させてサポーター２７を脚、腕等に装着すればよい。
【００３８】
この場合には、パッチ１７をサポーター２７により患部の近傍に安定的に保持できるため、患部に放射線を集中的に照射することができる。またサポーター２７のポケット２７ａにパッチ１７を挿入して使用することにより、パッチ１７を身体、着衣等に貼着して使用する場合に生じる剥離等の問題も解消できる。
【００３９】
図１５は本考案の第５の実施形態を例示し、シャツ等の衣類２８に放射性物質担持体を採用する場合を示す。この衣類２８では、肩部分２９の生地を基材７として塗着層１０が形成されている。塗着層１０は例えば左右の肩部分２９に対応して生地の内側又は外側に設けられている。なお、塗着層１０は印刷の他、熱転写等の転写法により塗着してもよい。
【００４０】
このように衣類２８の一部分等に塗着層１０を形成すれば、その衣類２８の着用中は安定的に放射線を浴びることができる。また、塗着層１０に伸縮性を持たせることにより、着用時の違和感を極力抑えることができる。
【００４１】
なお、衣類２８は下着、寝間着でもよいし、スポーツ用でもよい。また、塗着層１０は衣類２８の全体でもよいし、一部でもよいが、通気性を持たせる上では、筋状その他の形状で間隔を置いて設けることが望ましい。
【００４２】
図１６は本考案を居留空間囲繞装置３０に採用した第６の実施形態を例示する。居留空間囲繞装置３０は、人が横たわるためのベッド３１が配置された居留空間３２を取り囲む可搬式の支持枠３３と、この支持枠３３に装着された複数類のシート状の放射性物質担持体２を備え、放射性物質担持体２から発生する放射線の雰囲気下でベッド３１上の人が睡眠できるようにしたものである。
【００４３】
支持枠３３は可搬性を有し、左右方向に配置された上下一対の前・後棒材３４，３５と、この前・後棒材３４，３５の左右両側に配置された上下一対の左・右棒材３６，３７と、これらの各棒材３４〜３７を着脱自在に連結する四隅の連結具３９と、上下の各連結具３９間を着脱自在に連結する上下方向の縦棒材３８とを備え、ベッド３１を取り囲むように設置されている。各連結具３９は各連結部に棒材３４〜３８の端部を螺合又は挿入するようになっている。
【００４４】
支持枠３３には居留空間３２を取り囲むように複数枚の放射性物質担持体２が装着されている。例えば居留空間３２の前後、左右の外周側には、その上側の前・後棒材３４，３５に左右に２枚の放射性物質担持体２が、上側の左・右棒材３６，３７に１枚の放射性物質担持体２が夫々吊り下げられており、また、天井側に上側の左・右棒材３６，３７に１枚の放射性物質担持体２が架け渡されている。
【００４５】
各放射性物質担持体２は第１の実施形態の図１に例示の場合と同様に構成されている。外周側の各放射性物質担持体２は上側の棒材３４〜３７からベッド３１の上部側の近傍までの長さであって、上下両端側に幅方向の支持棒３ａ，３ｂを有し、その上端側の支４持棒３ａと、この支持棒３ａに接続された紐４等を介して上側の各棒材３４〜３７に着脱自在に吊り下げられている。天井側の放射性物質担持体２は両端の支持棒３ａ，３ｂが紐４等を介して左・右棒材３６，３９に着脱自在に連結されている。
【００４６】
このようにベッド３１を取り囲む支持枠３３に放射性物質担持体２を装着しておけば、居留空間３２に居る人は、放射性物質担持体２から発生する放射線の雰囲気下で睡眠することができる。従って、睡眠中に放射線に身体を曝すことによりホルミシス効果を得ることができる。
【００４７】
なお、外周側の放射性物質担持体２は必要に応じて上側に巻き上げ又ははね上げ可能であり、また、その長さは床近傍に達する長さでもよい。天井側の放射性物質担持体２は省略してもよい。居留空間３２にはベッド３１を配置する他、ベッド３１に替えて小型のテーブルと１又は複数個の椅子を配置する等、人の安息に適したものを配置してもよい。
【００４８】
図１７は本考案を移動式の居留空間囲繞装置３０に採用した第７の実施形態を例示する。この居留空間囲繞装置３０は、移動式の支持枠３３と、この支持枠３３の左右両側と背面側とに配置された放射性物質担持体２とを備えたものである。支持枠３３は理髪店、美容院等の椅子４２を取り囲み得る程度の大きさであって、各連結具の３９の下側等の四隅又はその近傍にキャスター等の車輪４３を有し、前側の開放側から椅子４２が相対的に出退するように移動可能である。支持枠３３には、前側を除く三面に放射性物質担持体２が吊り下げられている。他の構成は第６の実施形態と同様である。
【００４９】
このように移動式の支持枠３３に放射性物質担持体２を設けておけば、理髪店等の顧客に対するサービスの一環としてホルミシス効果を活用することができる。
【００５０】
図１８、図１９は本考案をホルミシス用の施療室４５に採用した第８の実施形態を例示する。この施療室４５は、図１８に示すように、壁面４６に放射性物質担持体２を構成するタイル４７、壁紙４８が装着されている。また施療室４５内には壁面４６に沿って椅子４９が配置されている。
【００５１】
タイル４７は放射性物質を含む粘土を所定形状に成型して焼結したものであり、壁面４６の下部側に縦横に多数枚貼着されている。壁紙４８は第１の実施形態の放射性物質担持体２と同様に構成されており、和紙等のシート材を基材７として、そのシート材に塗着材８が塗着されている。この壁紙４８は、図１９に示すように、基材７の裏面に予め塗工された糊層５０、又は貼着に際して裏面に塗工（又は塗布）された糊を介して壁面４６に貼着されている。なお、壁紙４８の場合には壁面４６に貼着して使用するため、上下両端側の支持棒３ａ，３ｂを設ける必要はない。
【００５２】
このようなホルミシス用の施療室４５の場合にも、その壁面４６に放射性物質担持体を構成するタイル４７、壁紙４８を貼着すれば、容易且つ安価に施療室４５を設置することが可能である。なお、医師の管理下にある施療室４５の場合には、タイル４７、壁紙４８に使用する放射性物質担持体は、一般用の場合に比較して放射線の線量を大にしてもよい。
【００５３】
以上、本考案の各実施形態について説明したが、本考案はこれらの実施形態に限定されるものではなく、本考案の趣旨を逸脱しない範囲で種々の変更が可能である。例えば、各実施形態では、タペストリー１、パッチ１７、衣類２８について例示しているが、これらに限られるものではなく、塗着材８を塗着して身体に放射線を照射する態様であれば、壁紙４８、スポーツ用具、寝具等でもよい。
【００５４】
また、身体装着用としてパッチ１７、衣類２８等を例示しているが、他のものでもよい。例えばサポーター２７の生地の内面又は外面に塗着層１０を直接形成してもよい。また、ギブス等の身体装着具に着脱自在にパッチ１７を設けてもよい。
【００５５】
塗着材８の塗着法は、基材７に塗着材８を塗着可能であれば十分であり、その手法は問わない。更に、塗着材８はその塗着により基材７の片面又は両面に設けるだけでなく、基材７の繊維相互間に浸透する浸透性を有するものでもよい。
【００５６】
基材７は和紙、生地等のシート状のものが一般的であるが、これらに限定されるものではない。例えば、塗着材８を塗着可能な基材７である限りは、その基材７自体が予め所定の立体形状に成形された造形物等でもよい。従って、置物等の造形物を基材７として、その造形物の表面等に塗着材８を塗着したものでもよい。
【００５７】
また壁面４６に貼着する放射性物質担持体２の場合には、壁紙４８の他にクロス等があるが、そのクロスにも採用可能である。従って、壁紙４８、クロス等の壁面４６用の貼着シート全般に応用可能である。
【００５８】
居留空間囲繞装置３０に使用する放射性物質担持体２は、吊り下げ以外の形態で支持枠３３に装着してもよい。例えば、放射性物質担持体２が和紙等の場合には、ジグザグ状に折り畳み可能に構成して、棒材３４〜３８に幅方向に開閉可能に吊り下げてもよい。また放射性物質担持体２が布等の可撓性を有するシート材の場合には、カーテン状に棒材３４〜３８に吊り下げてもよい。更に放射性物質担持体２は棒材３４〜３８に引っ掛けるか、上端側を貼り付けてもよい。
【００５９】
放射性物質担持体２は基材７に途着材８を塗着するのが簡便であるが、和紙等の基材７に浸透可能な浸透性を有するバインダーに放射性物質の粉体を配合して、そのバインダーの浸透により放射性物質の粉体を基材７に付着させるようにしてもよい。
【符号の説明】
【００６０】
１  タペストリー
２  放射性物質担持体
３ａ，３ｂ  支持棒
７  基材（シート材）
８  塗着材
９  塗着模様
１０  塗着層
１７  パッチ
１８  粘着層
３０  居留空間囲繞装置
３２  居留空間
３３  支持枠
Ｘ  放射線物質
Ｙ  マイナスイオン発生物質
【図１】
0003194000.tif 000003
【図２】
0003194000.tif 000004
【図３】
0003194000.tif 000005
【図４】
0003194000.tif 000006
【図５】
0003194000.tif 000007
【図６】
0003194000.tif 000008
【図７】
0003194000.tif 000009
【図８】
0003194000.tif 000010
【図９】
0003194000.tif 000011
【図１０】
0003194000.tif 000012
【図１１】
0003194000.tif 000013
【図１２】
0003194000.tif 000014
【図１３】
0003194000.tif 000015
【図１４】
0003194000.tif 000016
【図１５】
0003194000.tif 000017
【図１６】
0003194000.tif 000018
【図１７】
0003194000.tif 000019
【図１８】
0003194000.tif 000020
【図１９】
0003194000.tif 000021